(57)【要約】【課題】独立した移送台として、または載置棚に組み付けて載置棚を移送台として機能させて物品の移動を便利にし、作業員の肉体的労力負担を軽減して作業能率の向上を図り、また、廃材のリサイクル利用により、資源を有効利用が図られる移送台用ローラーを提供する。【解決手段】台枠２の対向する側枠２ａ間に両端部を支持させて物品の移送方向に並列状に配装した複数の支軸４と、該支軸４上に複数のローラー体５を間隔を採って緩装した移送台１用のローラー３であって、前記支軸４及びローラー体５が、それぞれに所定の厚みを有する紙管かるなる。【選択図】図１
2006193242.tif 000002
【特許請求の範囲】
【請求項１】
台枠の対向する側枠間に両端部を支持させて物品の移送方向に並列状に配装した複数の支軸と、各支軸上に複数のローラー体を間隔を採って緩装した移送台用ローラーであって、前記支軸及びローラー体が、それぞれに所定の厚みを有する紙管かるなることを特徴とする移送台用ローラー。
【請求項２】
支軸上で隣接するローラー体間の支軸に、ローラー体の移動範囲を規制する紙管からなる移動規制環を嵌着したことを特徴とする請求項１記載の移送台用ローラー。
【請求項３】
側枠が、所定厚の段ボール積層板材から裁断した板体からなり、対向する側枠には上端面から切り込み状に支軸端部を支持する軸支承凹部を形成したことを特徴とする請求項１又は２記載の移送台用ローラー。
【請求項４】
軸支承凹部を半円形状に形成し、該軸支承凹部に合わせて紙管を半割にした軸受けを嵌着し、該軸受けを介して支軸端部を支持することを特徴とする請求項３記載の移送台用ローラー。
【請求項５】
ローラー体の両端部に、フランジ付き短管形態の保護部材を嵌着したことを特徴とする請求項１又は２記載の移送台用ローラー。
【請求項６】
保護部材が、プラスチック資材からなる紙管用キャップの一部を切除して形成したことを特徴とする請求項５記載の移送台用ローラー。
【発明の詳細な説明】
【技術分野】
【０００１】
本発明は、物品を移動させる際に使用する移送台用ローラーに関するものであり、さらに詳しくは、手軽に使用できて、狭まい場所への物品の移動を容易にする移送台用ローラーに関するものである。
【背景技術】
【０００２】
従来より、工場等において比較的重たい物品を移動させる場合、置き場所を少し移動させるだけでも目的を達成する場合でも、数多くの物品を人力に頼って移動させるとなると、同じ動作の繰り返しとなって時間も掛かり、作業員の労力負担が大きくなる。そこで、作業の能率向上と省力化を図るために、物品の移動を容易に行うための補助具として、ローラコンベアやコロが使用されている。
【０００３】
ローラコンベアは一対の細長い支持体間に多数のローラー体を平行に軸支して構成され、それらのローラー体上に物品を載せて押し、ローラー体の回転を利用して移動させるものであるが、汎用のローラコンベアとしては、重量が大きく高価になると共に、取り扱い難く、手軽には使用できないという問題がある。
【０００４】
一方、コロは細長い管体または棒体からなり、物品の移動（運搬）には、移動面上に複数のコロを平行に並べ、その上に物品を載せて押し、コロのコロガリ摩擦を利用して移動させるもので、構造が簡単で保管等も容易であるために、重量物の移動には多用されている。
【０００５】
例えば、工場等におけるこの種のコロの使用例としては、段階状に設備された載置棚に対し、比較的重たい物品を出し入れするような時に、物品の収納位置が載置棚の奥まったところであったりして、この収納位置からの物品を出し入れを、一人の作業者でするような作業でコロを使用すると、移動面（載置面）に置かれたコロ上に載った物品を押すだけで、載置棚の奥まった収納位置からの物品の出し入れ作業を無難にこなすことができて便利なものである。
【発明の開示】
【発明が解決しようとする課題】
【０００６】
しかしながら、前記するように、コロを使用して物品を載置棚の奥まった収納位置まで移動させるような場合、物品の移動によってコロは物品と載置棚間に挟まった状態で回転し、コロも載置棚の奥方に向けて位置移動するので、物品によっては、物品移動後に、コロを載置棚の奥方に残したままでは、載置棚上の物品が不安定になることがある。このような物品では、物品の安定を図るために、物品の手前部分を持ち上げて載置棚と物品間に別のコロを挟持させるような手当てを必要とする。また、載置棚から物品を取り出した後は、使用後のコロを指定された保管場所まで戻しておく後片づけを必要とすることもある。
【０００７】
このように、工場等に設備された載置棚に対して、比較的重たい物品を出し入れするのに使用される従来のコロは、その使用前後の取り扱いに面倒なところがあり、しかも、コロ自体はかなりの嵩があり、複数個をまとめて使用するとなると、重量的にも軽量なものとは言えないので、いざ、目前の移動対象とされる物品を、載置棚上で少しでも楽に移動させようと思っても、コロを保管場所まで取りに行ったり、使用後の後片付け（返還）の面倒さなどを思えば、作業員が無理をしても人力に頼る移動となってしまうことが多く、これが、用意されたコロの使用頻度を低くする原因になっている。
【０００８】
本発明は、このような状況に鑑みてなされたものであって、独立した移送台として、または載置棚に組み付けて載置棚をしてローラー付きの移送台として機能させて載置棚上の物品の移動を便利にし、作業員の肉体的労力負担を軽減して作業能率の向上を図り、また、廃材のリサイクル利用により安価に提供できて、資源を有効利用が図られる移送台用ローラーを提供することを目的としたものである。
【課題を解決するための手段】
【０００９】
上記の目的を達成するための本発明に係る移送台用ローラーは、台枠の対向する側枠間に両端部を支持させて物品の移送方向に並列状に配装した複数の支軸と、該支軸上に複数のローラー体を間隔を採って緩装した移送台用ローラーであって、前記支軸及びローラー体が、それぞれに所定の厚みを有する紙管かるなることを特徴とする。
【００１０】
このように構成した本発明に係る移送台用ローラーによれば、台枠に対し複数のローラーを組み付けて構成した移送台は、単体で使用するか、若しくは必要とされる数の移送台を連結状に配置して使用される。この場合の移送台は、従来のローラーコンベア同様に、ローラー上に載せた物品をローラー体の回転を利用して移動させることができて便利なものである。
【００１１】
また、移送台としては、そのローラー部分が、移送台の重量の大半を占めるが、本発明においては、ローラーの主要構成部分が紙管で形成されるので、移送台の軽量化が図られて取り扱く、持ち運び等にも便利で手軽に使用することかできる。
【００１２】
また、ローラーを構成する紙管は、工場生産される長尺シート類の巻芯等に使用された紙管の廃材を再利用するので、廃物のリサイクル利用により安価に提供でき、資源を有効利用が図られる。
【００１３】
さらに、台枠を段階状に設備された載置棚代わりに組み付けると、載置棚がローラー付きの移送台として機能する。従って、従来のコロを使用する場合のような煩雑な取り扱いを必要とせずに、載置棚（移送台）上における物品の移動が一人の作業員によって楽にできる。
【００１４】
なお、本発明に係るローラーは、廃材とされる紙管を使用するので、特に、物品の重量により曲げ応力が作用する支軸に使用する紙管の強度からして、移動対称とする物品の重量は、一人の作業員では移動させ難い程度の重たい物に制限される。
【００１５】
前記構成において、支軸上に緩装した複数のローラー体は、紙管を適宜の長さに輪切りして得られ、支軸上では支軸回りに遊転自在とし、支軸上で個々のローラー体は適宜の間隔を採って軸心方向の移動を可能にしている。そこで、支軸上で隣接するローラー体間の支軸に、ローラー体の移動範囲を規制する紙管からなる移動規制環を嵌着した構成にすると、支軸上で隣接するローラー体同士の接触がなく、物品移動時に各ローラー体は互いに独立的に回動して円滑な物品の移動を実現する。
【００１６】
本発明に係る移送台用ローラーが組み付けられる台枠については、材質的にも形態的にも、特に、制約はないが、ローラーの支軸を支持する側枠は、ローラーと一体化して軽量化を図る上から、側枠には、所定厚の段ボール積層板材から裁断した板体を使用し、対向する側枠には上端面から切り込み状に支軸端部を支持するための軸支承凹部を形成した構成にすると、複数のローラーを支持する側枠にしても、支軸から受ける荷重に見合った所要の強度が得られる設計が可能となる。しかも、側枠もローラー同様に紙材からなるので軽量化が図られて移送台を取り扱い易くする。
【００１７】
前記の軸支承凹部を半円形状に形成し、該軸支承凹部に合わせて紙管を半割にした軸受けを嵌着し、該軸受けを介して支軸端部を支持する構成にすると、段ボール積層板材からなる側枠に形成した軸支承凹部が軸受けによって強化され、支軸端部から軸受けに掛かる荷重は、軸受け下面を介して側枠の軸支承凹部に掛けられ、側枠の軸支承凹部における単位面積当たりの荷重負担を軽減して側枠の形態の安定性を向上する。
【００１８】
前記構成において、実用面からは、支軸表面とローラー体内面との滑りを良くするために、支軸表面やローラー体内面には「蝋」等がぬられることもあるが、ローラー体の両端部に、フランジ付き短管形態の保護部材を嵌着した構成にすると、支軸上におけるローラー体の回動は、支軸表面に保護部材内周面が接して回転するようになり、ローラー体内周面が保護されるので、ローラー体の耐用寿命の延長が図られる。
【００１９】
前記構成において、ローラー体に使用する紙管には、元来、その両端に紙管用キャップが嵌着されている。そこで、保護部材が、プラスチック資材からなる紙管用キャップの一部を切除して形成した構成にすると、保護部材にしても、紙管用キャップの廃材を再利用して得られるので、ここでも天然資源の有効利用が図られる。
【発明の効果】
【００２０】
本発明に係る移送台用ローラーによれば、移送台の重量の大半を占めるローラーの主要構成部分が紙管で形成されるので、移送台の軽量化が図られて取り扱く、持ち運び等にも便利で手軽に使用することかできる。
【００２１】
また、ローラーを構成する紙管は、シート類の巻芯等として使用される紙管の廃材を再利用するので、廃物のリサイクル利用で安価に提供でき、資源を有効利用が図られる。
【発明を実施するための最良の形態】
【００２２】
以下、図面を参照しながら、本発明の実施例に係る移送台用ローラーについて具体的に説明する。
【実施例１】
【００２３】
図１は本発明に係る移送台用ローラーを組み付けた移送台の１例を示す平面図、図２は一部を欠除し、一部を断面で示す移送台の拡大正面図、図３はローラーの側面図、図４はローラー体の形成要領説明図、図５（ａ）は保護部材付きローラー体の一部を断面で示す側面図、（ｂ）は同ローラ体の中央縦断面図、（ｃ）は保護部材の形成要領説明図である。
【００２４】
図１に示すように、移送台１は、平面的に見て方形状をなす台枠２の対向する側枠２ａ間に複数個のローラー３を適宜の間隔を採り、物品の移送方向に並列状に組み付けている。
【００２５】
ローラー３は、図３に示すように、支軸４上に複数のローラー体５を間隔を採って緩装したもので、支軸４上で隣接するローラー体５間で支軸４に嵌着した移動規制環６によって個々のローラー体５の移動範囲を規制し、支軸４上で隣接するローラー体５同士の接触をなくし、物品移送時に互いに独立的に支軸４回りに回転するようにしている。
【００２６】
ローラー３の主要構成部材とされる支軸４、ローラー体５及び移動規制環６は、それぞれが所定の長さと厚みを有する紙管で形成されるもので、これらの紙管は、工場生産される長尺シート類の巻芯等に使用させた紙管の廃材（廃材紙管）を使用し、資源を有効利用して得ている。
【００２７】
具体的には、支軸４に使用する紙管の肉厚は、ローラー３の強度を左右するので、分厚い目の紙管が使用される。また、支軸４に使用する紙管の外径は、ローラー体５及び移動規制環６に使用する紙管の内径より若干小さ目にし、ローラー体５に使用する紙管の肉厚は、移動規制環６に使用する紙管の肉厚より分厚くし、支軸４上でローラー体５外周面を移動規制環６より高く突出させている。
【００２８】
前記するローラー体５と移動規制環６は、ともに紙管を適宜の長さに輪切りして得られるもので、例えば、ローラー体５は、図４に示すように紙管５′を輪切りして得ている。
【００２９】
複数個のローラー３が組み付けられる側枠２ａは、必ずしも台枠２と一体構成とされるものではなく、実施の形態では、台枠２と側枠２ａを別体構成にして台枠２の内側に側枠２ａを配装している。そして、この側枠２ａには、ローラー３と一体化して軽量化を図る上から、所定厚の段ボール積層板材から裁断した板体を使用し、ローラー３の支軸端部４ａを落とし込み状に支持するために、対向する側枠２ａには、図２に示すように、その上端面から切り込んで半円形状に軸支承凹部７を形成している。
【００３０】
また、この軸支承凹部７には、凹部７に合わせて紙管を半割にした軸受け８を嵌着して軸支承凹部７の部分を強化し、支軸端部４ａはこの軸受け８を介して支持させている。こうして、支軸端部４ａから軸受け８に掛かる荷重は、軸受け８下面から側枠２ａの軸支承凹部７に掛けられて、側枠２ａの軸支承凹部７における単位面積当たりの圧力負担を軽減し、側枠２ａの耐用寿命の延長を図っている。
【００３１】
なお、軸受け８には、内径が支軸４の外径にほぼ等しい紙管を用い、側枠２ａの板材厚に相当する長さで紙管を輪切りにした後、これを半割にして得ている。
【００３２】
前記するローラー体５に使用する紙管５′（図４参照）には、元来、その両端に、図５（ｃ）に示す形状の紙管用キャップ９が嵌着されて紙管端部を保護している。この紙管用キャップ９はプラスチック資材からなる成型品とされ、紙管５′の中穴に密嵌状に挿入される有底筒体９ａの開口縁部に、紙管端面に当接させるフランジ９ｂを有する。そこで、図５（ｃ）に示すように、紙管用キャップ９の有底筒体９ａの端部（底部）を切り取ると、筒体９ａは両端が開放されので、これを図５（ａ）、（ｂ）に示すように、保護部材１０としてローラー体５の両端部に嵌着すると、支軸４上でローラー体５が回転する際に、支軸４表面には保護部材１０の内面が接転してローラー体５の内面が保護されるので、ローラー体５の耐用寿命の延長が図られる。
【００３３】
なお、保護部材１０にしても、紙管用キャップ９の廃材をリサイクル利用して簡単な加工で得られるので、ここでも天然資源の有効利用が図られる。
【００３４】
前記の構成において、図１に示すように、方形状の台枠２と側枠２ａを一体構成にして複数個のローラー３を適宜の間隔を採って並列状に組み付けた移送台１を構成して使用すると、物品移送時に支軸４上で隣接するローラー体５同士の接触がなく、互いに独立的に支軸４回りに回転して円滑な物品の移動を実現する。
【００３５】
また、工場等において、段階状に設備された載置棚の一部を台枠２に転用する形で使用すると、載置棚がローラー付きの移送台として機能し、載置棚の奥まった格納位置への物品の出し入れが一人の作業員によって楽にできる。
【産業上の利用可能性】
【００３６】
本発明に係る移送台用ローラーの主要構成部材を形成する紙管は、シート類の巻芯等として使用された紙管の廃材を再利用するので、資源の有効利用が図られ、また、ローラーの強度面から取り扱い物品としては、重量的な制限があるにしても、工場等において、一人の作業員では直接に持ち上げることができない程度の重量物を移動させる時の補助具として、使い勝手が良く、取り扱いの容易性と便利さとが相まって多方面に使して有用なものである。
【図面の簡単な説明】
【００３７】
【図１】本発明に係る移送台用ローラーを組み付けた移送台の１例を示す平面図斜視図である。
【図２】一部を欠除し、一部を断面で示す移送台の正面の斜視図である。
【図３】ローラーの側面図斜視図である。
【図４】ローラー体の形成要領説明図である。
【図５】（ａ）は保護部材付きローラー体の一部を断面で示す側面図、（ｂ）は同ローラ体の中央断面図、（ｃ）は保護部材の形成要領説明図である。
【符号の説明】
【００３８】
１  移送台
２  台枠
２ａ  側枠
３  ローラー
４  支軸
５  ローラー体
５′紙管
６  移動規制環
４ａ  支軸端部
７  軸支承凹部
８  軸受け
９  紙管用キャップ
９ａ  有底筒体
９ｂ  フランジ
１０  保護部材
【図１】
2006193242.tif 000003
【図２】
2006193242.tif 000004
【図３】
2006193242.tif 000005
【図４】
2006193242.tif 000006
【図５】
2006193242.tif 000007